(57)【要約】【課題】使用済みフィルムのフィルム尾端がスプールに係止された状態の使用済みパトローネを分解することなく、品質不良を起こすこともなく再使用できる写真用パトローネの再使用方法及び再生写真用フィルムを提供すること。【解決手段】スプールのフィルム係止部に係止された使用済みフィルムのフィルム尾端の一部がスリット口から出ている状態の使用済みパトローネを分解せずに再使用する写真用パトローネの再使用方法であって、前記スプールに新たなフィルムを係止するためのガイド部材の先端を、前記スリット口から前記スプールのフィルム係止部まで挿入する工程と、前記ガイド部材と前記フィルム尾端との間から新たなフィルムを挿入し、該新たなフィルムを前記スプールのフィルム係止部に係止する工程と、前記ガイド部材を前記スリット口から抜き出した後、前記新たなフィルムを前記フィルム尾端と共にスプールに巻き取る工程とを有する。【選択図】          図１０
2004233495.tif 000002
【特許請求の範囲】
【請求項１】
スプールのフィルム係止部に係止された使用済みフィルムのフィルム尾端の一部がスリット口から出ている状態の使用済みパトローネを分解せずに再使用する写真用パトローネの再使用方法であって、
前記スプールに新たなフィルムを係止するためのガイド部材の先端を、前記スリット口から前記スプールのフィルム係止部まで挿入する工程と、
前記ガイド部材と前記フィルム尾端との間から新たなフィルムを挿入し、該新たなフィルムを前記スプールのフィルム係止部に係止する工程と、
前記ガイド部材を前記スリット口から抜き出した後、前記新たなフィルムを前記フィルム尾端と共にスプールに巻き取る工程と、
を有することを特徴とする写真用パトローネの再使用方法。
【請求項２】
スプールのフィルム係止部に係止された使用済みフィルムのフィルム尾端が写真用パトローネ内に巻き込まれた状態の使用済みパトローネを分解せずに再使用する写真用パトローネの再使用方法であって、
前記スプールを、前記スリット口に対してフィルム係止部がフィルム係止可能な位置となるように位置決めする工程と、
前記スプールに新たなフィルムを係止するためのガイド部材の先端を、前記スリット口から前記スプールのフィルム係止部まで挿入する工程と、
前記スリット口から新たなフィルムを挿入し、該新たなフィルムを前記スプールのフィルム係止部に係止する工程と、
前記ガイド部材を前記スリット口から抜き出した後、前記新たなフィルムを前記フィルム尾端と共にスプールに巻き取る工程と、
を有することを特徴とする写真用パトローネの再使用方法。
【請求項３】
前記スプールに、前記スリット口に対してフィルム係止部がフィルム係止可能な位置にあることを示す手段が設けられていることを特徴とする請求項２記載の写真用パトローネの再使用方法。
【請求項４】
前記手段は、写真用パトローネ本体から外部に露出しているスプールのハブに設けられた凹部であることを特徴とする請求項３記載の写真用パトローネの再使用方法。
【請求項５】
前記使用済みフィルムのフィルム尾端の長さは、スプールの巻取り軸の外周の長さをＬ１、フィルム尾端のフィルム係止部からはみ出している部分の長さをＬ２としたとき、Ｌ１＞Ｌ２であることを特徴とする請求項１〜４のいずれかに記載の写真用パトローネの再使用方法。
【請求項６】
写真用パトローネの表面に再使用品であることを示す印を設ける工程を更に有することを特徴とする請求項１〜５のいずれかに記載の写真用パトローネの再使用方法。
【請求項７】
前記印は、写真用パトローネの表面に印刷により設けることを特徴とする請求項６記載の写真用パトローネの再使用方法。
【請求項８】
前記印は、写真用パトローネの表面にラベルを貼着することにより設けることを特徴とする請求項６記載の写真用パトローネの再使用方法。
【請求項９】
前記ガイド部材は、平板状の先端ガイド部に平板状の後端ガイド部が所定の角度で傾斜状に接続されてなることを特徴とする請求項１〜８のいずれかに記載の写真用パトローネの再使用方法。
【請求項１０】
スプールのフィルム係止部に係止された使用済みフィルムのフィルム尾端が、前記フィルム係止部に係止された新たなフィルムと共にスプールに巻き取られていることを特徴とする再生写真用フィルム。
【請求項１１】
前記使用済みフィルムのフィルム尾端の長さは、前記使用済みフィルムのフィルム尾端の長さは、スプールの巻取り軸の外周の長さをＬ１、フィルム尾端のフィルム係止部からはみ出している部分の長さをＬ２としたとき、Ｌ１＞Ｌ２であることを特徴とする請求項１０記載の再生写真用フィルム。
【請求項１２】
写真用パトローネの表面に再使用品であることを示す印が設けられていることを特徴とする請求項１０又は１１記載の再生写真用フィルム。
【請求項１３】
前記印は、写真用パトローネの表面に印刷により設けられていることを特徴とする請求項１２記載の再生写真用フィルム。
【請求項１４】
前記印は、写真用パトローネの表面にラベルを貼着することにより設けることを特徴とする請求項１２記載の再生写真用フィルム。
【発明の詳細な説明】
【０００１】
【発明の属する技術分野】
本発明は写真用パトローネの再使用方法及び再生写真用フィルムに関し、詳しくは、スプールに使用済みフィルムのフィルム尾端が係止されている状態の使用済みパトローネを分解せずに再使用する写真用パトローネの再使用方法及びそれにより製造された再生写真用フィルムに関する。
【０００２】
【従来の技術】
従来、使用済みの１３５型の写真用パトローネ（以下、本明細書では単にパトローネという場合がある。）の利用方法として、キャップを容易に外せる嵌合式パトローネを使用して、長尺フィルムをはさみ等で切断し、接着テープでスプールに係止し、フィルムをスプールに巻いた後パトローネに入れ、キャップを手嵌めして使用する詰め替え方式がごく一部のユーザーで行われていた。
【０００３】
しかし、近年、パトローネはより遮光性を高める目的で、キャップを外すのが困難なキャップかしめ式が大部分となり、またフィルムとスプールとの係止も接着テープを使用しない方式が主流となってきている。そのため、フィルムをスプールに巻き込んで詰め替えを行うことが困難となり、ラボで現像されたパトローネは再び使用されることがほとんどなく、そのままゴミとして廃棄されており、環境問題を引き起こしている。
【０００４】
従来、パトローネを解体してそこからスプールを取り出し、このスプールのみを再利用する方法が提案されているが（特許文献１）、これもスプール以外のパトローネ本体はゴミとなってしまう。このため、パトローネを分解することなくそのまま再使用することのできる方法の確立が望まれている。
【０００５】
ところで、ラボ等から排出される使用済みのパトローネには、使用済みフィルムのフィルム尾端がスプールに係止された状態のままであることが多い。これは、フィルムを現像する際、パトローネのスリット口近傍で切断して分離してしまうためである。
【０００６】
上記特許文献１には、スプールに係止されている状態の使用済みフィルムのフィルム尾端をスプールから分離する方法も開示されているが、パトローネを分解することなく再使用するに際して、上記使用済みフィルムのフィルム尾端をスプールから逐一分離する作業は面倒である。
【０００７】
また、スリット口から外部に露出しているフィルム尾端を引きちぎる等によって無理に取り除くと、フィルム尾端の係止側の一部がパトローネ内部でちぎれてしまい、そのちぎれたフィルム片が新たなフィルムの装填作業の邪魔となってパトローネ自体が再使用不能となる問題がある。しかも、パトローネ内部で使用済みフィルム尾端の一部がちぎれたことに気付かないで再使用に供すると、パトローネ内に残存するちぎれたフィルム片によって品質不良となる問題がある。
【０００８】
【特許文献１】特開２００１−３３７４２４号公報
【０００９】
【発明が解決しようとする課題】
そこで、本発明は、使用済みフィルムのフィルム尾端がスプールに係止された状態の使用済みのパトローネを分解することなく、また、品質不良を起こすこともなく再使用することのできる写真用パトローネの再使用方法を提供することにある。
【００１０】
また、本発明は、使用済みフィルムのフィルム尾端がスプールに係止された状態の使用済みのパトローネを再使用しても、品質不良を起こす心配のない再生写真用フィルムを提供することにある。
【００１１】
【課題を解決するための手段】
上記各課題は、以下の各発明によって解決される。
【００１２】
請求項１記載の発明は、スプールのフィルム係止部に係止された使用済みフィルムのフィルム尾端の一部がスリット口から出ている状態の使用済みパトローネを分解せずに再使用する写真用パトローネの再使用方法であって、前記スプールに新たなフィルムを係止するためのガイド部材の先端を、前記スリット口から前記スプールのフィルム係止部まで挿入する工程と、前記ガイド部材と前記フィルム尾端との間から新たなフィルムを挿入し、該新たなフィルムを前記スプールのフィルム係止部に係止する工程と、前記ガイド部材を前記スリット口から抜き出した後、前記新たなフィルムを前記フィルム尾端と共にスプールに巻き取る工程と、を有することを特徴とする写真用パトローネの再使用方法である。
【００１３】
請求項２記載の発明は、スプールのフィルム係止部に係止された使用済みフィルムのフィルム尾端が写真用パトローネ内に巻き込まれた状態の使用済みパトローネを分解せずに再使用する写真用パトローネの再使用方法であって、前記スプールを、前記スリット口に対してフィルム係止部がフィルム係止可能な位置となるように位置決めする工程と、前記スプールに新たなフィルムを係止するためのガイド部材の先端を、前記スリット口から前記スプールのフィルム係止部まで挿入する工程と、前記スリット口から新たなフィルムを挿入し、該新たなフィルムを前記スプールのフィルム係止部に係止する工程と、前記ガイド部材を前記スリット口から抜き出した後、前記新たなフィルムを前記フィルム尾端と共にスプールに巻き取る工程と、を有することを特徴とする写真用パトローネの再使用方法である。
【００１４】
請求項３記載の発明は、前記スプールに、前記スリット口に対してフィルム係止部がフィルム係止可能な位置にあることを示す手段が設けられていることを特徴とする請求項２記載の写真用パトローネの再使用方法である。
【００１５】
請求項４記載の発明は、前記手段は、写真用パトローネ本体から外部に露出しているスプールのハブに設けられた凹部であることを特徴とする請求項３記載の写真用パトローネの再使用方法である。
【００１６】
請求項５記載の発明は、前記使用済みフィルムのフィルム尾端の長さは、スプールの巻取り軸の外周の長さをＬ１、フィルム尾端のフィルム係止部からはみ出している部分の長さをＬ２としたとき、Ｌ１＞Ｌ２であることを特徴とする請求項１〜４のいずれかに記載の写真用パトローネの再使用方法である。
【００１７】
請求項６記載の発明は、写真用パトローネの表面に再使用品であることを示す印を設ける工程を更に有することを特徴とする請求項１〜５のいずれかに記載の写真用パトローネの再使用方法である。
【００１８】
請求項７記載の発明は、前記印は、写真用パトローネの表面に印刷により設けることを特徴とする請求項６記載の写真用パトローネの再使用方法である。
【００１９】
請求項８記載の発明は、前記印は、写真用パトローネの表面にラベルを貼着することにより設けることを特徴とする請求項６記載の写真用パトローネの再使用方法である。
【００２０】
請求項９記載の発明は、前記ガイド部材は、平板状の先端ガイド部に平板状の後端ガイド部が所定の角度で傾斜状に接続されてなることを特徴とする請求項１〜８のいずれかに記載の写真用パトローネの再使用方法である。
【００２１】
請求項１０記載の発明は、スプールのフィルム係止部に係止された使用済みフィルムのフィルム尾端が、前記フィルム係止部に係止された新たなフィルムと共にスプールに巻き取られていることを特徴とする再生写真用フィルムである。
【００２２】
請求項１１記載の発明は、前記使用済みフィルムのフィルム尾端の長さは、前記使用済みフィルムのフィルム尾端の長さは、スプールの巻取り軸の外周の長さをＬ１、フィルム尾端のフィルム係止部からはみ出している部分の長さをＬ２としたとき、Ｌ１＞Ｌ２であることを特徴とする請求項１０記載の再生写真用フィルムである。
【００２３】
請求項１２記載の発明は、写真用パトローネの表面に再使用品であることを示す印が設けられていることを特徴とする請求項１０又は１１記載の再生写真用フィルムである。
【００２４】
請求項１３記載の発明は、前記印は、写真用パトローネの表面に印刷により設けられていることを特徴とする請求項１２記載の再生写真用フィルムである。
【００２５】
請求項１４記載の発明は、前記印は、写真用パトローネの表面にラベルを貼着することにより設けることを特徴とする請求項１２記載の再生写真用フィルムである。
【００２６】
【発明の実施の形態】
以下、本発明の実施の形態について図面に基づいて説明する。
【００２７】
まず、以下に説明する各発明において共通する写真用パトローネ（以下、単にパトローネという）の構成について説明する。
【００２８】
図１（ａ）は、パトローネの外観構成を示す斜視図、（ｂ）はその断面図、図２（ａ）はパトローネ内に収容されるスプールの斜視図、（ｂ）はスプールの中央断面図である。ここでは最も代表的な３５ｍｍの写真フィルムを収容する１３５フィルムパトローネについて説明する。
【００２９】
パトローネ１は、鋼板を用いて円筒状に形成されたパトローネ本体１Ａ内にスプール１Ｂを内蔵し、その両側にそれぞれキャップａ１、ａ１をかしめ固定して構成されている。各キャップａ１には中心に開口ａ２が形成されており、スプール１Ｂはその両端にそれぞれ突出している各ハブｂ１、ｂ１’が上記開口ａ２から外部に突出して支承されることで、パトローネ本体１Ａ内において回転可能とされている。各ハブｂ１、ｂ１’のうち、一方のハブｂ１は、他方のハブｂ１’に比べてパトローネ本体１Ａから大きく突出している。
【００３０】
パトローネ本体１Ａは、円筒状に丸められた鋼板の両端の内面同士を間隙をおいて重ね合わせると共に、該重ね合わせ部を同一方向に折り曲げると共にパトローネ本体１Ａの周方向に延出し、その重ね合わせ部に形成される間隙が写真フィルムを出し入れする際のスリット口ａ３となり、このスリット口ａ３に遮光性を持たせるためのテレンプａ４が設けられている。
【００３１】
スプール１Ｂは、写真フィルムを巻き取る巻取り軸ｂ２の両端にそれぞれフランジｂ３、ｂ３が、更にその外側にそれぞれハブｂ１、ｂ１’が同心状に設けられている。巻取り軸ｂ２には、写真フィルムの先端が挿入されるスリット状のスプール孔ｂ４が形成され、そのスプール孔ｂ４内には係止爪ｂ５と該係止爪ｂ５に係止された写真フィルムの抜けを防止するための押えリブｂ６とが対向状に設けられてフィルム係止部を構成している。図２に示す態様では、係止爪ｂ５はスプール孔ｂ４内において所定間隔をもって２つ設けられ、押えリブｂ６はその間に１つだけ設けられているが、係止爪ｂ５及び押えリブｂ６の数、形状については特に限定されない。
【００３２】
使用済みのパトローネ１は、写真フィルムがスプール１Ｂに係止されている状態でスリット口ａ３の近傍で切り落とされている。本明細書では、切り落とされてパトローネ１に残存する側の使用済みの写真フィルムｆの尾端側のフィルムのことをフィルム尾端といい、符号ｆａで示す。図１に示す使用済みのパトローネ１は、このフィルム尾端ｆａの一部（切断側の端部）がスリット口ａ３から露出している状態にある。本発明は、このようにフィルム尾端ｆａが係止されているパトローネ１に対してスプール１Ｂに新たな未露光のフィルム（以下、これを新フィルムという。）を係止し、巻き取ることで、パトローネ１の再使用を図るものである。
【００３３】
なお、本発明において  フィルム尾端ｆａとされる使用済みの写真フィルムｆは、実際に一旦使用（撮影）されたフィルムに限らず、写真用フィルムの製造過程において生じた生産ロス品や店頭等において期限切れとなった期限切れ品を回収した際のパトローネに係止されている未使用のフィルムをも含む。従って、フィルム尾端ｆａは、このフィルムがスリット口から引き出されて該スリット口の近傍で切断された尾端側のフィルムをも含む。従って、以下の説明において使用済みパトローネというときは、フィルムが一旦使用されたものに限らず、未使用のフィルムが係止されている生産ロス品や期限切れ品をも含む。
【００３４】
次に、第１の発明に係る写真用パトローネの再使用方法について説明する。
【００３５】
この第１の発明に係る写真用パトロールの再使用方法は、スプール１Ｂに新フィルムを係止するためのガイド部材の先端を、スリット口ａ３からスプール１Ｂのフィルム係止部まで挿入する工程と、ガイド部材とフィルム尾端ｆａとの間から新フィルムを挿入し、新フィルムをスプール１Ｂのフィルム係止部に係止する工程と、ガイド部材をスリット口ａ３から抜き出した後、新フィルムをフィルム尾端ｆａと共にスプールに巻き取る工程と、を有することを特徴としている。
【００３６】
ここでガイド部材の一例を図３に示す。このガイド部材３は、平板状の先端ガイド部３ａに同じく平板状の後端ガイド部３ｂが所定の角度を持って傾斜状に接続されて形成された断面略への字状をなしており、新フィルムをパトローネ１のスプール１Ｂに係止するためのガイドをなす部材である。先端ガイド部３ａと後端ガイド部３ｂとは、所定のＲ（アール）を有する曲部３ｃによって接続されていることが好ましく、これら先端ガイド部３ａ、曲部３ｃ及び後端ガイド部３ｂが、スリット口ａ３の幅とほぼ同幅に形成されている。これらは金属薄板を用いて屈曲形成すれば簡単に一体形成することができる。
【００３７】
また、先端ガイド部３ａと後端ガイド部３ｂの各平面がなす内側の角度αは、１１０°±２０°が好ましい。上記範囲を外れると、このガイド部材３がスリット口ａ３からパトローネ１内に挿入された際、その先端ガイド部３ａが、図２に示すスプール１Ｂのスプール孔ｂ４に向かわず、写真フィルムをこのスプール孔ｂ４まで案内することが困難となる。より好ましくは１１０°±５°、最も好ましくは１１０°である。
【００３８】
なお、先端ガイド部３ａの先端３ａ１はその両側部が切り欠かれ、スプール１Ｂのスプール孔ｂ４の幅にほぼ合致するように幅狭状に形成されている。
【００３９】
図４は、かかるガイド部材３を用いて写真用パトローネを再使用するために好適な製造装置の一例を示す概略斜視図である。この製造装置２において、２１はパトローネ１を保持するパトローネホルダーであり、使用済みパトローネ１は、そのスリット口ａ３が後述するフィルムシュート２２側に臨むように、このパトローネホルダー２１に保持されてセットされる。
【００４０】
新フィルムを上記パトローネ１に対して供給するためのフィルムシュート２２は、上記パトローネホルダー２１に保持されたパトローネ１のスリット口ａ３に一端が臨むように直線状に配設され、ガイドレール２３に沿ってスライド可能なスライド部材２４を介して該フィルムシュート２２の配設方向に沿ってスライド可能に設けられている。従って、フィルムシュート２２は、図示しない駆動手段によってスライドすることで、その先端がパトローネホルダー２１にセットされたパトローネ１のスリット口ａ３に対して接離可能とされている。
【００４１】
なお、２２ａ、２２ａはフィルムシュート２２内の新フィルムに接して該新フィルムをパトローネ１のスリット口ａ３へ向けて移送するためのフィルム送りローラであり、フィルムシュート２２を挟んで上下に対向状に配設され、図示しない駆動手段により駆動される。
【００４２】
新フィルムをパトローネ１のスプールに係止するためのガイドをなす上記ガイド部材３は、パトローネ１がパトローネホルダー２１にセットされた状態で、該パトローネ１のスリット口ａ３とフィルムシュート２２の先端との間に配置されている。
【００４３】
パトローネホルダー２１の側方には、上記ガイド部材３を支持するためのブロック２５がフィルムシュート２２によるフィルムの送り方向に沿って、図示しない駆動手段によってスライド可能に配設されており、このブロック２５からパトローネ１のスリット口ａ３とフィルムシュート２２の先端との間に向けて回動軸２６が図示しない駆動手段により回動可能に突出している。
【００４４】
また、ブロック２５には、上下方向に切り欠かれた長孔２５ａが形成されており、回動軸２６は、この長孔２５ａ内から突出することで、長孔２５ａに沿って昇降可能とされている。この回動軸２６のブロック２５からの突出量は、ブロック２５がパトローネホルダー２１の側方に並置するようにスライド移動し（図４における最左端の位置）、且つ、回動軸２６が長孔２５ａの最下端まで下降した状態でも、その回動軸２６の先端がパトローネホルダー２１及びそれに保持されているパトローネ１のいずれにも当接することのない程度とされている。
【００４５】
回動軸２６の外周面には、その軸方向に沿って延びる取付腕２６ａが突設されている。ガイド部材３は、その先端ガイド部３ａの先端がパトローネホルダー２１にセットされたパトローネ１のスリット口ａ３に向かい、且つ後端ガイド部３ｂがスリット口ａ３に対してパトローネ本体１Ａ側（図示下側）に傾斜した状態、即ち、略への字状に屈曲している内側が図示下側に配置されるように、その後端ガイド部３ｂの後端側の外側面が上記取付腕２６ａに取り付けられ、回動軸２６の回動によってガイド部材３の曲部３ｃにほぼ沿うように回動するようになっている（図５参照）。
【００４６】
なお、この回動軸２６は、ガイド部材３の先端ガイド部３ａがパトローネホルダー２２にセットされたパトローネ１のスリット口ａ３のパトローネ本体１Ａに対する延出方向に平行となる位置（図５の状態）と、ガイド部材３の後端ガイド部３ｂが上記スリット口ａ３の延出方向と平行となる位置（図７の状態）との間で、時計方向及び反時計方向に回動する。
【００４７】
次に、かかる製造装置２を用いて使用済みパトローネ１に新フィルムを装填する方法について説明する。
【００４８】
まず、図１に示すようにスプール１Ｂを内蔵すると共に両側がそれぞれキャップａ１、ａ１で遮蔽された使用済みパトローネ１を、パトローネホルダー２２に手動又は自動でセットし、パトローネ１の位置決めを行う。ここでパトローネ１は、そのスリット口ａ３が図示上方に位置し、且つフィルムシュート２２の先端に向くように配置されて保持され、更に、スプール１Ｂの向きが、図５に示すようにスプール孔ｂ４の入口側がスリット口ａ３の根元方向を向く位置で、適宜の位置ロック手段を用いてロックされる。
【００４９】
上記のようにパトローネ１のスリット口ａ３が図示上方に位置し、且つフィルムシュート２２の先端に向くように配置されて保持されるようにするには、図１に示すように、使用済みパトローネ１のスリット口ａ３からはフィルム尾端ｆａの一部が露出した状態にあるため、この状態でパトローネホルダー２２内のパトローネ１のスプール１Ｂの位相をロック状態に保持するか、スリット口ａ３から露出しているフィルム尾端ｆａを、図示しない適宜の引っ張り手段を用いてスリット口ａ３から引き出す方向にある程度の張力を掛けるようにするとよい。
【００５０】
このようにしてパトローネ１がパトローネホルダー２２にセットされ、スプール１Ｂの位置がロックされると、回動軸２６が図５の状態から長孔２５ａを下降し、その先端に取り付けられているガイド部材３がパトローネ１のスリット口ａ３の近傍に配置される。このときガイド部材３は、その先端ガイド部３ａがパトローネ本体１Ａに対するスリット口ａ３の延出方向（フィルムシュート２２によるフィルムの送り方向）と平行となり、且つ後端ガイド部３ｂがスリット口ａ３に対してパトローネ本体１Ａ側（図示下側）に位置するように保持されている。
【００５１】
ガイド部材３の先端ガイド部３ａが、パトローネ１のスリット口ａ３の高さまでくると、回動軸２６は下降を停止する。次いで、ブロック２５はフィルムの送り方向と同一方向に前進し、回動軸２６に取り付けられたガイド部材３の先端ガイド部３ａをパトローネ１のスリット口ａ３から挿入する。このとき、ガイド部材３の先端ガイド部３ａは、スリット口ａ３から露出しているフィルム尾端ｆａの上面（フィルムの乳剤面と反対側の面）側に挿入する。これによりガイド部材３は、その先端ガイド部３ａがブロック２５の前進によりスリット口ａ３の変形やテレンプを傷めることなくスリット口ａ３の延出方向と平行に直進状に挿入される（図６参照）。
【００５２】
このガイド部材３の挿入が開始されると、その途中から回動軸２６は微小角度範囲で時計方向及び反時計方向に交互に回動を繰り返し、ブロック２５の前進動作と同時にガイド部材３を揺動させ、ガイド部材３の挿入が円滑に行われるようにしている。
【００５３】
ガイド部材３の先端ガイド部３ａのほぼ全体がスリット口ａ３内に挿入され、それに続く曲部３ｃ近傍がスリット口ａ３まで到達すると、ブロック２５は、回動軸２６を徐々に回動させることで、ガイド部材３の後端ガイド部３ｂがスリット口ａ３の延出方向と平行となるようにガイド部材３を傾斜側に向けて図示反時計方向に回転させながら、ガイド部材３の後端ガイド部３ｂがスリット口ａ３に挿入されるまで更に前進する。これによりガイド部材３の先端ガイド部３ａの先端は、パトローネ１内においてスプール１Ｂへ向かい、そのスプール孔ｂ４の入口近傍まで接近する。また、これとほぼ同時に、フィルムシュート２２及びフィルム送りローラ２２ａもガイドレール２３に沿ってパトローネ１に向けて前進し、フィルムシュート２２の先端がパトローネ１のスリット口ａ３に近接する位置で停止する（図７参照）。
【００５４】
次いで、未露光の新フィルムＦがフィルムシュート２２を通してフィルム送りローラ２２ａにより送り出される。フィルムシュート２２の先端から送り出された新フィルムＦは、パトローネ１のスリット口ａ３に挿入されたガイド部材３の傾斜側（図示下側）の面に沿って接触しつつ、ガイド部材３とフィルム尾端ｆａとの間からスリット口ａ３に挿入される。即ち、新フィルムＦは、パトローネ１のスリット口ａ３から一部出ているガイド部材３の後端ガイド部３ｂの下面とフィルム尾端ｆａとの間から、後端ガイド部３ｂの下面に沿ってスリット口ａ３に挿入され、次いで、曲部３ｃの内側に突き当たり、その曲面に沿ってスプール１Ｂ方向に向きが変えられ、続いて先端ガイド部３ａの下面に沿ってスプール孔ｂ４まで案内される。この挿入動作時、新フィルムＦの下面側も、常にフィルム尾端ｆａによってガイドされた状態にある。
【００５５】
先端がスプール孔ｂ４まで案内された新フィルムＦは、図２に示すスプール孔ｂ４内に設けられている各係止爪ｂ５、ｂ５に、新フィルムＦ先端に形成されている係止孔が係合することで係止される（図８参照）。
【００５６】
新フィルムＦがスプール１Ｂに係止されると、フィルムシュート２２及びフィルム送りローラ２２ａはガイドレール２３に沿って後退する。このとき、フィルムシュート２２内の新フィルムＦはスプール１Ｂに係止されているため後退しない。
【００５７】
次いで、ブロック２５は後退を開始し、回動軸２６に取り付けられたガイド部材３の後端ガイド部３ｂをパトローネ１のスリット口ａ３から引き出す。このとき後端ガイド部３ｂは、ブロック２５の後退によりスリット口ａ３の延出方向と平行に直進状に引き出される。これと同時に、回動軸２６は挿入時と同様に微小角度範囲で回動を繰り返すことで、ガイド部材３の引き出しが円滑に行われるようにブロック２５の後退動作と共にガイド部材３を揺動させる。
【００５８】
その後、ブロック２５は、後退動作と同時に回動軸２６を徐々に回動しながら、ガイド部材３の先端ガイド部３ａがスリット口ａ３の延出方向と平行となるように、ガイド部材３を傾斜側に向けて図示時計方向に回転させ、その後、先端ガイド部３ａを直進状に引き出し、ガイド部材３をスリット口ａ３から取り出す。このガイド部材３の取り出し動作において、ガイド部材３の先端ガイド部３ａ及び後端ガイド部３ｂは、その平面に沿うようにそれぞれ直進状に引き出されるため、挿入動作時と同様、パトローネ１のスリット口ａ３と干渉することがほとんどなく、仮に接触してもガイド部材３の先端の角部が接触することがないため、そのスリット口ａ３やテレンプに与える影響は少ない。
【００５９】
ガイド部材３が取り出されると、そのガイド部材３の回転により、後端ガイド部３ｂの後端部がパトローネ１のスリット口ａ３から出ている新フィルムＦの上面に当接し、更に回転するに伴って、スリット口ａ３とフィルムシュート２２との間の写真フィルムＦのフィルムパスラインを下方にＶ字状に屈曲させる（図９参照）。このとき、新フィルムＦの先端はスプール１Ｂに係止されて固定されているため、フィルムパスラインの曲がりに伴ってフィルムシュート２２内に位置している新フィルムＦがパトローネ１に向けて移動することとなる。従って、このときの新フィルムＦの移動を適宜の手段により検知することで、新フィルムＦの先端がスプール１Ｂに確実に係止されたことを自動的に検出することが可能である。
【００６０】
なお、この新フィルムＦの上面側に当接するガイド部材３の後端部分又は取付腕２６ａは、図示するように曲面状に形成することで、当接時に新フィルムＦに与えるダメージを少なくすることが望ましい。
【００６１】
ガイド部材３がパトローネ１外へ取り出された後、回動軸２６は長孔２５ａに沿って上昇し、ガイド部材３をフィルムパスラインから上方へ退避させる。これにより新フィルムＦのパスラインは直線状となる（図１０、図１１参照）。次いで、パトローネ１のスプール１Ｂ及びフィルム送りローラ２２ａを回転させることで、スプール１Ｂに係止した新フィルムＦをフィルム尾端ｆａと共に巻き取る。このとき、ガイド部材３はパトローネ１から取り出され、フィルムパスライン上からも退避しているため、巻き取り時に新フィルムＦがガイド部材３と接触することはなく、新フィルムＦに傷等が発生する心配はない。この新フィルムＦの巻き取りにより再生写真用フィルムが完成する。
【００６２】
なお、新フィルムＦをフィルム尾端ｆａと共にスプール１Ｂに巻き取る場合、フィルム尾端ｆａの切断側の端部の巻き取り段差によって生じるプレッシャーによるカブリを防止するため、スプール１Ｂの巻取り軸ｂ２の外周の長さをＬ１、フィルム尾端ｆａのスプール１Ｂのフィルム係止部からはみ出している部分の長さ（図１２参照）をＬ２としたとき、Ｌ１＞Ｌ２とすることが好ましい。これにより新フィルムＦをフィルム尾端ｆａと共に巻き取っても、フィルム尾端ｆａは巻取り軸ｂ２外周の１周未満となるため、フィルム尾端ｆａが巻取り軸ｂ２の外周においてオーバーラップすることがなく、巻き取り段差は発生せず、プレッシャーによるカブリの心配はない。
【００６３】
フィルム尾端ｆａがスプール１Ｂの巻取り軸ｂ２に対して上記関係を満足するか否かの判別は、巻取り軸ｂ２の外周の長さ及びパトローネ１のサイズは予め決まっているので、フィルム尾端ｆａがスリット口ａ３から露出している長さを適宜の手段によって検出することによって行うことができる。フィルム尾端ｆａの長さが上記関係を満足していない場合は、上記関係を満足するように切断すればよい。
【００６４】
次に、第２の発明に係る写真用パトローネの再使用方法について説明する。
【００６５】
この第２の発明に係る写真用パトロールの再使用方法は、スプール１Ｂのフィルム係止部に係止された使用済みフィルムｆのフィルム尾端ｆａがパトローネ１内に巻き込まれた状態の使用済みパトローネ１を分解せずに再使用するものであり、スプール１Ｂを、スリット口ａ３に対してフィルム係止部がフィルム係止可能な位置となるように位置決めする工程と、スプール１Ｂに新フィルムを係止するためのガイド部材３の先端を、スリット口ａ３からスプール１Ｂのフィルム係止部まで挿入する工程と、スリット口ａ３から新フィルムを挿入し、該新フィルムをスプール１Ｂのフィルム係止部に係止する工程と、ガイド部材３をスリット口ａ３から抜き出した後、新フィルムをフィルム尾端ｆａと共にスプール１Ｂに巻き取る工程と、を有することを特徴としている。
【００６６】
この第２の発明によれば、使用済みフィルムが現像に供されるためにスリット口ａ３の近傍で切断された後、何らかの原因でフィルム尾端ｆａがパトローネ１内に巻き込まれてしまっている場合のほか、使用済みパトローネ１のスリット口ａ３からのフィルム尾端ｆａの露出量が少なく、該フィルム尾端ｆａを引き出す方向に張力を掛けるためにその端部を保持することが困難な場合や、フィルム尾端ｆａの端部がスリット口ａ３からほとんど露出していないような場合に、スプール１Ｂを回転させてフィルム尾端ｆａをパトローネ１内に巻き込んだものであっても、支障なく新フィルムＦをスプール１Ｂに係止させることができる。
【００６７】
ここでは、新フィルムＦを係止する前に、フィルム尾端ｆａがスプール１Ｂに係止されている状態の使用済みパトローネ１のスプール１Ｂを数周回転させて、フィルム尾端ｆａがスリット口ａ３から完全にパトローネ１内に巻き込まれた状態にしておくことが望ましいが、この場合も、新フィルムＦをフィルム尾端ｆａと共にスプール１Ｂに巻き取る場合、フィルム尾端ｆａの切断側の端部の巻き取り段差によって生じるプレッシャーによるカブリを防止するため、スプール１Ｂの巻取り軸ｂ２の外周の長さをＬ１、フィルム尾端ｆａのスプール１Ｂのフィルム係止部からはみ出している部分の長さ（図１２参照）をＬ２としたとき、Ｌ１＞Ｌ２としておくことが好ましい。
【００６８】
このようにフィルム尾端ｆａをパトローネ１内に巻き込んだ状態では、スプール１Ｂのフィルム係止部の位置がスリット口ａ３に対してどの向きにあるのかが判らないため、次いで、スプール１Ｂを、スリット口ａ３に対してフィルム係止部がフィルム係止可能な位置となるように位置決めする。
【００６９】
図１３に、この位置決め工程において使用するのに好適なパトローネホルダーの一例を示す。
【００７０】
このパトローネホルダー１００は、パトローネ１を装填して保持するパトローネ保持部１０１と、該パトローネ保持部１０１の開口側の隅部に、回転軸１０２ａにおいてその開口面と平行な方向に回動可能に設けられた蓋部１０２とを有して構成されている。パトローネ保持部１０１には、パトローネ１をその突出側のハブｂ１側から装填可能な装填穴１０１ａが形成されており、その底部に上記突出側のハブｂ１を収容可能なハブ収容穴１０１ｂが形成されている。装填穴１０１ａの深さはパトローネ本体１Ａの長さとほぼ同等とされている。ハブ収容穴１０１ｂの深さは突出側のハブｂ１の突出量とほぼ同等とされ、また、その内径は突出側のハブｂ１の外形とほぼ同等とされている。そして、このハブ収容穴１０１ｂの側面の一部には、ハブ収容穴１０１ｂの中心方向に向けて突出する突起１０１ｃが設けられている。
【００７１】
かかるパトローネホルダー１００に使用済みパトローネ１を装填すると、図１４（ａ）に示すように、突出側のハブｂ１の先端はハブ収容穴１０１ｂ内の突起１０１ｃに当接し、それ以上の進入が阻止される。この状態では、パトローネ１は、装填穴１０１ａから一部突出するため、蓋部１０２を閉じることはできない。ここで、使用済みパトローネ１の突出側のハブｂ１の先端に、上記突起１０１ｃを受け入れる凹部ｂ７を形成しておけば、凹部ｂ７内に上記突起１０１ｃが嵌入することで、パトローネ１を装填穴１０１ａの奥深くまで進入させることができる。このように凹部ｂ７と突起１０１ｃとが係合した状態では、スプール１Ｂは回転不能となって位置決めされる。なお、凹部ｂ７と突起１０１ｃとを係合させるには、適宜の回動治具３００を用いて、スプール１Ｂを回転させればよい。
【００７２】
従って、この突起１０１ｃと凹部ｂ７のそれぞれの位置が、両者が係合した際にスリット口ａ３に対してスプール１Ｂのフィルム係止部がフィルム係止可能な位置、すなわち、スプール孔ｂ４のフィルム挿入側が、図１（ｂ）に示すようにスリット口ａ３の方向となる位置にくるように予め位置決めして設けておくことにより、使用済みパトローネ１をこのパトローネホルダー１００にセットし、回動治具３００を用いてスプール１Ｂを回転させ、凹部ｂ７と突起１０１ｃとを係合させることで、スプール１Ｂは、スリット口ａ３に対してフィルム係止部がフィルム係止可能な位置となるように位置決めされる。
【００７３】
この状態で蓋部１０２を閉じ、図４に示す装置２のパトローネホルダー２１の代わりにセットする。その後は、第１発明において説明したと同様にガイド部材３を用いて新フィルムＦをスプール１Ｂに係止させる。新フィルムＦをスプール１Ｂに係止した後は、パトローネ１をパトローネホルダー１００から取り外し、スプール１Ｂを回動させて新フィルムＦをフィルム尾端ｆａと共に巻き取る。
【００７４】
ところで、この第２の発明では、新フィルムＦをスリット口ａ３からガイド部材３の下面に案内されつつ挿入する際、その新フィルムＦの下面側をガイドする部材が存在しないため、上記ガイド部材３に代えて、以下に説明するガイド部材４を用いることが好ましい。
【００７５】
このガイド部材の構成を図１５に示す。なお、以下の説明において、図１〜図１４と同一符号は同一構成を示している。
【００７６】
ガイド部材４は、図示上側に位置する上側ガイド板４１と、図示下側に位置する下側ガイド板４２と、その両側を遮蔽する側部ガイド部４３、４４とを有する中空状を呈しており、その先端側に上側ガイド板４１、下側ガイド板４２及び側部ガイド部４３、４４とで形成された直線状に延びる先端ガイド部４ａと、後端側に同じく上側ガイド板４１、下側ガイド板４２及び側部ガイド部４３、４４とで形成された直線状に延びる後端ガイド部４ｂとが所定の角度で傾斜状に接続され、また、先端ガイド部４ａと後端ガイド部４ｂとの間に所定のＲ（アール）を有する曲部４ｃが設けられた略への字状をなし、中空の内部にフィルム通路ｐを形成している。また、先端ガイド部４ａにおける上側ガイド板４１及び下側ガイド板４２の先端は、その両側部が切り欠かれ、スプール１Ｂのスプール孔ｂ４の幅にほぼ合致するように幅狭状に形成されている。
【００７７】
この先端ガイド部４ａと後端ガイド部４ｂの各平面がなす内側の角度αは、前記ガイド部材３と同様の理由から、１１０°±２０°、より好ましくは１１０°±５°、最も好ましくは１１０°である。
【００７８】
このガイド部材４は、上記ガイド部材３と同様にして、ブロック２５から突設している回動軸２６の取付腕２６ａに取り付けられる。
【００７９】
かかるガイド部材４をパトローネ１のスリット口ａ３に挿入する動作は、上述したガイド部材３の場合と同一であるため詳細な説明は省略する。
【００８０】
パトローネ１に挿入されたガイド部材４に対して新フィルムＦを挿入する動作は、ガイド部材４内のフィルム通路ｐを通して挿入を行う。このとき、新フィルムＦは、その上下面が上側ガイド板４１及び下側ガイド板４２によってそれぞれ支持されるため、挿入過程において屈撓することなく挿入され、しかも、フィルム通路ｐの両側が側部ガイド部４３、４４で遮蔽されているため、新フィルムＦの挿入時にその両側端も支持され、新フィルムＦのより円滑な送り動作が可能となる。
【００８１】
その後、新フィルムＦをスプール１Ｂに係止する動作、及び、その後にガイド部材４をパトローネ１から取り出す動作についても、上述したガイド部材３の場合と同一である。
【００８２】
なお、このガイド部材４では、新フィルムＦをスプール１Ｂに係止した後、パトローネ１から取り出した際に図９と同様の状態となり、スリット口ａ３とフィルムシュート２２との間のフィルムパスラインを下方にＶ字状に屈曲させるが、その後はフィルムパスラインを屈曲させた状態でパトローネ１のスプール１Ｂ及びフィルム送りローラ２２ａを回転させることで、スプール１Ｂに係止した新フィルムＦを巻き取り、再生写真用フィルムを完成する。
【００８３】
また、ガイド部材は、図１６に示すように、上記したガイド部材３を２枚用意し、所定間隔をおいて上下に重ねたような構造を呈するガイド部材５を用いることも好ましい。このガイド部材５では、その図示上側に位置する上側ガイド板５１と図示下側に位置する下側ガイド板５２との間隙によってフィルム通路ｐを形成している。
【００８４】
上側ガイド板５１及び下側ガイド板５２は、上記ガイド部材３と同様に、それぞれ平板状の先端ガイド部５１ａ、５２ａに平板状の後端ガイド部５１ｂ、５２ｂが所定の角度で傾斜状に接続されており、また、先端ガイド部５１ａ、５２ａと後端ガイド部５１ｂ、５２ｂとの間に所定のＲ（アール）を有する曲部５１ｃ、５２ｃが設けられた略への字状をなしている。下側ガイド板５２の後端の図示下面は、ブロック２５の長孔２５ａ内に設けられた下側回動軸２７に取付腕２７ａを介して取り付けられると共に、上側ガイド板５１の後端の図示上面は、同じくブロック２５の長孔２５ａ内に設けられた上側回動軸２８に取付腕２８ａを介して取り付けられている。
【００８５】
上側回動軸２８は、円筒軸状の下側回動軸２７の外周面に嵌合する下向きＵ字状の凹部２８ｂを有しており、この上側回動軸２８が下側回動軸２７の外周面に嵌合した状態で、上側ガイド板５１及び下側ガイド板５２は、その間にフィルム通路ｐとなる間隔をあけて重なり合うように併設されると共に、上側回動軸２８は下側回動軸２７と同心状に一体となって回動可能となる。これによりガイド部材５は全体として回動可能となり、上側回動軸２８と下側回動軸２７とが長孔２５ａ内において互いに離れて嵌合が解除された状態のとき、上側ガイド板５１と下側ガイド板５２とが互いに上下に分離して、その間のフィルム通路ｐを大きく開放する。
【００８６】
次に、かかるガイド部材５を用いて新フィルムＦを係止する方法について説明する。このガイド部材５は、上側ガイド板５１と下側ガイド板５２とが重なり合うように併設された状態でパトローネ１のスリット口ａ３に対する挿入動作及び取り出し動作がなされるが、このときの挿入動作及び取り出し動作については、前述したガイド部材３の場合と同一であるため、重複する部分についての説明は省略し、異なる部分について図１７〜図２１を用いて説明する。
【００８７】
ガイド部材５は、下側回動軸２７に上側回動軸２８が嵌合した状態、即ち上側ガイド板５１と下側ガイド板５２とがその間にフィルム通路ｐをあけて重なり合うように併設された状態で、前述したガイド部材３の場合と同様の操作により、その先端ガイド部５１ａ、５２ａの先端がスプール孔ｂ４に接近するように、パトローネホルダー２１にセットされているパトローネ１のスリット口ａ３に挿入される（図１７参照）。
【００８８】
次いで、前進したフィルムシュート２２を通して新フィルムＦを送り出す。ここで、フィルムシュート２２の先端から送り出された新フィルムＦは、パトローネ１のスリット口ａ３に挿入された上記ガイド部材５に形成されているフィルム通路ｐを通ってスリット口ａ３内に挿入される。このとき新フィルムＦは、上側ガイド板５１及び下側ガイド板５２によってその上下面がそれぞれ支持されるため、挿入過程において屈撓することなく円滑にスプール１Ｂのスプール孔ｂ４まで案内され、係止されるようになる（図１８参照）。
【００８９】
次いで、ブロック９が後退を開始し、ガイド部材３の場合と同様にガイド部材５を引き出しと回転とを行いながら、パトローネ１から取り出す（図１９参照）。このとき新フィルムＦは、上記の場合と同様に、スリット口ａ３とフィルムシュート２２との間のフィルムパスラインを下方にＶ字状に屈曲させるが、ガイド部材５がパトローネ１外へ取り出されると、上側回動軸２８は下側回動軸２７から分離し、ブロック２５の長孔２５ａに沿って上昇する。これによりガイド部材５の上側ガイド板５１は下側ガイド板５２から分離し、その間のフィルム通路ｐが上側に大きく開放し、新フィルムＦのパスラインは直線状となる（図２０、図２１参照）。
【００９０】
次いで、パトローネ１のスプール１Ｂ及びフィルム送りローラ２２ａを回転させることで、スプール１Ｂに係止した新フィルムＦをフィルム尾端ｆａと共に巻き取り、再生写真用フィルムを完成する。このとき、ガイド部材５はパトローネ１から取り出され、その上側ガイド板５１がフィルムパスライン上から退避してフィルム通路ｐを大きく開放しているため、巻き取り時に新フィルムＦがガイド部材５と接触することはなく、新フィルムＦに傷等が発生する心配はない。
【００９１】
なお、このガイド部材５の他の実施形態を図２２に示す。同図は上記ガイド部材５と異なる下側ガイド板５２のみを示しており、この下側ガイド板５２の両側端にはフィルム通路ｐ側に向けて立設する側部ガイド部５３、５４が形成されている。この側部ガイド部５３、５４は、図１３に示す上側ガイド板５１をフィルム通路ｐをおいて重ね合わせた際に該フィルム通路ｐの両側を覆うように形成されている。これにより、上記ガイド部材４と同様に、上側ガイド板５１と下側ガイド板５２とによって新フィルムＦを挿入する際の屈撓を防止すると同時に、側部ガイド部５３、５４によって新フィルムＦ挿入時の両側端を支持して横方向のガイドをなし、より円滑な送り動作が可能となるが、このガイド部材５によれば、上側ガイド板５１と下側ガイド板５２とが分離可能であるため、ガイド部材４とは異なり、ガイド部材４の取り出し後のフィルムパスラインを直線状にした状態で巻き取りが可能であり、ガイド部材４を用いるものに比べて新フィルムＦを傷めるおそれは少ない。
【００９２】
側部ガイド部５３、５４は、図示する形態に限らず、ガイド部材５の上側ガイド板５１側に設けられていてもよく、また、例えば一方の側部ガイド部５３を上側ガイド板５１に、他方の側部ガイド部５４を下側ガイド板５２にそれぞれ分けて設けるようにしてもよい。
【００９３】
なお、かかる側部ガイド部は、図示しないが、前記したガイド部材３に、新フィルムＦが当接する側（図示下側）に向けて立設するように形成してもよく、これによりガイド部材３を用いる場合においても、新フィルムＦ挿入時にその両側端を支持して横方向のガイドをなすことで、より円滑な送り動作をなすようにすることもできる。
【００９４】
以上説明した各発明では、パトローネ１の向きは、スリット口ａ３が上方に位置するようにセットされるようにしたが、スリット口ａ３が下方に位置するようにセットされるようにしてもよい。この場合、ガイド部材３、４、５も図示の態様と上下反対に配置され、その回動動作も反対に動作されることはもちろんである。
【００９５】
以上のようにして新フィルムＦがフィルム尾端ｆａと共にパトローネ１内に巻き取られて製造された再生写真用フィルムは、再使用品であることが判るように、パトローネ１の表面に再使用品であることを示す印を設けておくことが好ましく、巻き取り工程の後にこのための工程を更に有することが好ましい。スプール１Ｂにフィルム尾端ｆａを２本以上係止した状態で新フィルムＦを巻き取ると、フィルム尾端ｆａにより生じる巻き取り段差が大きくなり、カブリが発生し易くなって品質的に問題があるためである。
【００９６】
このような印としては、パトローネ１の表面に、インクジェット印刷機等の適宜の印刷手段を用いて再使用品であることを示す文字や記号を直接印刷したり、再使用品であることを示す文字や記号が形成されたラベルを貼着することによって設けることができる。
【００９７】
【発明の効果】
本発明によれば、使用済みフィルムのフィルム尾端がスプールに係止された状態の使用済みのパトローネを分解することなく、また、品質不良を起こすこともなく再使用することのできる写真用パトローネの再使用方法を提供することができる。
【００９８】
また、本発明によれば、使用済みフィルムのフィルム尾端がスプールに係止された状態の使用済みのパトローネを再使用しても、品質不良を起こす心配のない再生写真用フィルムを提供することができる。
【図面の簡単な説明】
【図１】（ａ）は写真用パトローネの外観構成を示す斜視図、（ｂ）はその断面図
【図２】（ａ）はパトローネ内に収容されるスプールの斜視図、（ｂ）はスプールの中央断面図
【図３】写真用パトローネの再使用方法において使用されるガイド部材を示す斜視図
【図４】写真用パトローネの再使用方法を実施するために好適な製造装置の一例を示す概略斜視図
【図５】写真用パトローネの再使用方法の工程を説明する図
【図６】写真用パトローネの再使用方法の工程を説明する図
【図７】写真用パトローネの再使用方法の工程を説明する図
【図８】写真用パトローネの再使用方法の工程を説明する図
【図９】写真用パトローネの再使用方法の工程を説明する図
【図１０】写真用パトローネの再使用方法の工程を説明する図
【図１１】写真用パトローネの再使用方法の工程を説明する図
【図１２】スプールに係止されるフィルム尾端の長さを説明する図
【図１３】（ａ）はパトローネホルダーの他の実施形態を示す正面図、（ｂ）は（ａ）のｂ−ｂ線に沿う断面図
【図１４】（ａ）（ｂ）はパトローネホルダーにパトローネを装填する状態を示す説明図
【図１５】（ａ）はガイド部材の他の実施形態を示す斜視図、（ｂ）はその側面図
【図１６】ガイド部材の更に他の実施形態及びその周辺の構成を示す斜視図
【図１７】図１６に示すガイド部材を用いた写真用パトローネの再使用方法の工程を説明する図
【図１８】図１６に示すガイド部材を用いた写真用パトローネの再使用方法の工程を説明する図
【図１９】図１６に示すガイド部材を用いた写真用パトローネの再使用方法の工程を説明する図
【図２０】図１６に示すガイド部材を用いた写真用パトローネの再使用方法の工程を説明する図
【図２１】図１６に示すガイド部材を用いた写真用パトローネの再使用方法の工程を説明する図
【図２２】ガイド部材の更に他の実施形態を示す斜視図
【符号の説明】
１：写真用パトローネ
１Ａ：パトローネ本体
１Ｂ：スプール
ａ１：キャップ
ａ３：スリット口
２：製造装置
３、４、５：ガイド部材
３ａ、４ａ、５１ａ、５２ａ：先端ガイド部
３ｂ、４ｂ、５１ｂ、５２ｂ：後端ガイド部
Ｆ：新フィルム
ｆ：使用済みフィルム
ｆａ：フィルム尾端
【図１】
2004233495.tif 000003
【図２】
2004233495.tif 000004
【図３】
2004233495.tif 000005
【図４】
2004233495.tif 000006
【図５】
2004233495.tif 000007
【図６】
2004233495.tif 000008
【図７】
2004233495.tif 000009
【図８】
2004233495.tif 000010
【図９】
2004233495.tif 000011
【図１０】
2004233495.tif 000012
【図１１】
2004233495.tif 000013
【図１２】
2004233495.tif 000014
【図１３】
2004233495.tif 000015
【図１４】
2004233495.tif 000016
【図１５】
2004233495.tif 000017
【図１６】
2004233495.tif 000018
【図１７】
2004233495.tif 000019
【図１８】
2004233495.tif 000020
【図１９】
2004233495.tif 000021
【図２０】
2004233495.tif 000022
【図２１】
2004233495.tif 000023
【図２２】
2004233495.tif 000024